【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】    【請求項１】 少なくともひとつの曲り部分を有する分離チャネルを備える試料成分分離装置であって、前記曲り部分は、該曲り部分を通る試料の通過に起因するバンド広帯化を低減するよう構成されている、試料成分分離装置。    【請求項２】  前記分離チャネルは電気泳動分離を遂行するよう構成される、請求項１の装置。    【請求項３】  前記曲り部分はひとつ以上の試料移送障害物を含む、請求項１の装置。    【請求項４】 前記分離チャネルは、少なくともひとつの実質的に直線である部分を更に有しており、前記曲り部分の曲っている面における実効チャネル幅は、前記実質的に直線である部分の実効チャネル幅より小さい、請求項１の装置。    【請求項５】  前記曲り部分はひとつ以上の試料移送障害物を含む、請求項４の装置。    【請求項６】 前記実質的に直線である部分と前記曲り部分とを結合する遷移部分を更に備え、前記遷移部分は前記狭い曲り部分から前記広い直線部分に向けて増大する実効チャネル幅を有する、請求項４の装置。    【請求項７】  前記遷移部分の実効チャネル幅の増大は、実質的に線形である、請求項６の装置。    【請求項８】  前記遷移部分の実効チャネル幅の増大は、階段状である、請求項６の装置。    【請求項９】  前記遷移部分は湾曲路を画成する、請求項６の装置。    【請求項１０】  少なくともひとつの実質的に直線である部分と少なくともひとつの曲り部分とを有する分離チャネルを備え、前記曲り部分は、前記実質的に直線である部分の対応する試料移送特性とは異なる試料移送特性を有する、試料成分分離装置。    【請求項１１】  前記分離チャネルは、電気泳動分離を遂行するよう構成される、請求項１０の装置。    【請求項１２】  前記曲り部分はひとつ以上の試料移送障害物を含む、請求項１０の装置。    【請求項１３】  前記曲り部分の曲っている面における実効チャネル幅は、前記実質的に直線である部分の実効チャネル幅より小さい、請求項１０の装置。    【請求項１４】  前記曲り部分は、ひとつ以上の試料移送障害物を含む、請求項１３の装置。    【請求項１５】 前記実質的に直線である部分と前記曲り部分とを結合する遷移部分を更に備え、前記遷移部分は前記狭い曲り部分から前記広い直線部分に向けて増大する実効チャネル幅を有する、請求項１３の装置。    【請求項１６】  前記遷移部分の実効チャネル幅の増大は、実質的に線形である、請求項１５の装置。    【請求項１７】  前記遷移部分の実効チャネル幅の増大は、階段状である、請求項１５の装置。    【請求項１８】  前記遷移部分は、湾曲路を画成する、請求項１５の装置。    【請求項１９】  前記曲り部分は内側壁および外側壁を有し、前記曲り部分の前記内側壁近くでの試料の成分の速度は、前記曲り部分の前記外側壁近くでの同じ試料の異なる成分の速度より低い、請求項１０の装置。    【請求項２０】  前記曲り部分は内側壁および外側壁を有しており、  外側壁近くの領域よりも内側壁近くの領域において高い密度で、前記分離チャネルの前記曲り部分に配設される複数の試料移送障害物を更に備える、請求項１０の装置。    【請求項２１】  前記試料移送障害物の密度は、前記外側壁から前記内側壁への方向に沿って増大する、請求項２０の装��。    【請求項２２】  試料成分分離装置であって、  陰極リザーバと、  陽極リザーバと、  少なくともひとつの実質的に直線である部分と少なくともひとつの曲り部分とを有する試料移送路を、前記陰極リザーバと前記陽極リザーバ間に画成する分離チャネルであって、前記曲り部分は、前記試料移送路の前記直線部分の試料移送特性とは異なる試料移送特性を有する、分離チャネルと、を備える、試料成分分離装置。    【請求項２３】  前記分離チャネルは電気泳動分離を遂行するよう構成される、請求項２２の装置。    【請求項２４】  前記曲り部分は、前記直線部分の実効チャネル幅より小さい実効チャネル幅を有する、請求項２２の装置。    【請求項２５】 前記直線部分と前記曲り部分とを結合する遷移部分を更に備え、前記遷移部分は前記狭い曲り部分から前記広い直線部分に向けて増大する実効チャネル幅を有する、請求項２４の装置。    【請求項２６】  前記遷移部分の実効チャネル幅の増大は、実質的に線形である、請求項２５の装置。    【請求項２７】  前記遷移部分の実効チャネル幅の増大は、階段状である、請求項２５の装置。    【請求項２８】  前記遷移部分は、試料成分の拡散を低減するよう設計される、請求項２５の装置。    【請求項２９】  前記曲り部分は内側壁および外側壁を有し、前記曲り部分は、前記曲り部分の前記外側壁に近接する試料分子の移送に比べて前記曲り部分の前記内側壁に近接する試料分子の移送を遅らせるよう配設されるひとつ以上の試料移送障害物を含む、請求項２２の装置。    【請求項３０】 複数の追加陰極リザーバと、該複数の追加陰極リザーバの各々と前記陽極リザーバとの間にそれぞれ結合された複数の追加分離チャネルを更に備え、 前記追加分離チャネルの各々が、該追加分離チャネルに結合された前記追加陰極リザーバと前記陽極リザーバとの間に、少なくともひとつの曲り部分を有する試料移送路を画成する、請求項２２の装置。    【請求項３１】  試料成分分離装置であって、  陰極リザーバ手段と、  陽極リザーバ手段と、  曲り部分手段を通る電気泳動試料の通過に起因するバンド広帯化を低減する前記曲り部分手段を有する分離チャネル手段と、  前記分離チャネルへ結合される試料リザーバ手段と、  前記分離チャネルへ結合される廃棄物リザーバ手段と、を備える、試料成分分離装置。    【請求項３２】  試料成分分離装置を製作する方法であって、  基板に陰極リザーバを形成するステップと、  前記基板に陽極リザーバを形成するステップと、  実質的に直線である部分と少なくともひとつの曲り部分とを有する試料移送路を、前記陰極リザーバと前記陽極リザーバ間に画成する分離チャネルを前記基板に形成するステップであって、前記曲り部分は、前記試料移送路の前記実質的に直線である部分の試料移送特性とは異なる試料移送特性を有する、分離チャネル形成ステップと、を含む方法。    【請求項３３】  前記曲り部分は、前記試料移送路の前記実質的に直線である部分の実効チャネル幅より小さい実効チャネル幅を有する、請求項３２の方法。    【請求項３４】  前記曲り部分は内側壁および外側壁を有し、前記曲り部分は、前記曲り部分の前記外側壁に近接する試料分子の移送に比べて前記曲り部分の前記内側壁に近接する試料��子の移送を遅らせるよう配設される試料移送障害物を含む、請求項３２の方法。    【請求項３５】 前記陰極リザーバを形成するステップは、前記基板に複数の追加陰極リザーバを更に形成し、 前記分離チャネルを前記基板に形成するステップは、前記複数の追加陰極リザーバの各々と前記陽極リザーバとの間にそれぞれ結合された複数の追加分離チャネルを前記基板に更に形成し、 前記複数の追加分離チャネルの各々が、該追加分離チャネルが結合された前記追加陰極リザーバと前記陽極リザーバとの間に、少なくともひとつの曲り部分を有する試料移送路を画成する、請求項３２の方法。    【請求項３６】  電気泳動法によって試料を分離する方法であって、  キャピラリ電気泳動基板における試料リザーバ内へ試料を置くステップと、  分離チャネルの一部分内へ前記試料の一部分を注入するステップと、 前記分離チャネルに沿って前記試料を駆動するように、前記基板内の陰極リザーバと陽極リザーバとの間に作動電圧を印加するステップであって、前記分離チャネルは、実質的に直線である部分と少なくともひとつの曲り部分とを有する試料移送路を、前記基板において前記陰極リザーバと前記陽極リザーバとの間に画成しており、前記曲り部分は、前記試料移送路の前記実質的に直線である部分の試料移送特性とは異なる試料移送特性を有する、印加ステップと、を含む方法。    【請求項３７】  前記曲り部分の曲っている面における実効チャネル幅は、前記直線部分の実効チャネル幅より小さい、請求項３６の方法。    【請求項３８】  前記曲り部分は内側壁および外側壁を有し、前記曲り部分は、前記曲り部分の前記外側壁に近接する試料分子の移送に比べて前記曲り部分の前記内側壁に近接する試料分子の移送を遅らせるよう配設される試料移送障害物を含む、請求項３６の方法。    【請求項３９】 前記試料を置くステップは、前記基板における複数の追加試料リザーバ内へ複数の追加試料をそれぞれ更に置き、 前記試料の一部分を注入するステップは、複数の追加分離チャネルの各々の一部分内へ前記複数の追加試料の一部分をそれぞれ更に注入し、 前記複数の追加分離チャネルは、前記基板における複数の追加陰極リザーバの各々と前記陽極リザーバとの間にそれぞれ結合されており、 前記複数の追加分離チャネルの各々が、該追加分離チャネルが結合された前記追加陰極リザーバと前記陽極リザーバとの間に、少なくともひとつの曲り部分を有する試料移送路を画成しており、 前記作動電圧を印加するステップは、前記複数の追加分離チャネルに沿って前記複数の追加試料を駆動するように、前記追加陰極リザーバの各々と前記陽極リザーバとの間に作動電圧を印加する、請求項３６の方法。